【手続補正書】
【提出日】平成21年9月10日(2009.9.10)
【手続補正１】
【補正対象書類名】特許請求の範囲
【補正対象項目名】全文
【補正方法】変更
【補正の内容】
【特許請求の範囲】
【請求項１】
内部に閉塞がある脈管内腔を形成する脈管壁を介して治療を行うシステムにおいて、
先端側方開口部まで貫通した内腔を有する細長いシャフトを持つ壁内配向デバイスであって、一つ以上の横方向延長部を持つ先端配向エレメントを含む、壁内配向デバイスと、
脈管組織を穿通するように形成された先端チップを持ち、前記配向デバイスの前記内腔に挿入される大きさ及び形体を備えた再進入デバイスと、を備え、
一つ以上の横方向延長部の各々が、潰れた送出形体と拡張した展開形体とを含み、
前記横方向延長部は、送出形体と展開形体の両方において、前記内腔の完全に外部に位置する、システム。
【請求項２】
請求項１に記載のシステムにおいて、
前記配向デバイスは、前方に押圧されたデバイスを前記側方ポートに向かって差し向け、後方に押圧されたデバイスが前記内腔を通って基端方向に通過できるように前記内腔に配置されたフラップを更に含む、システム。
【請求項３】
請求項１に記載のシステムにおいて、
前記横方向延長部は、ヒンジ連結された少なくとも二つのウィングを含み、これらのウィングは、潰れた送出形体と拡張した展開形体との間で移動するように形成されている、システム。
【請求項４】
請求項３に記載のシステムにおいて、
前記ウィングは、前記展開形体で、実質的に等しく両方向に延びている、システム。
【請求項５】
請求項１に記載のシステムにおいて、
前記横方向延長部は先端及び基端を有し、前記細長いシャフトの先端は前記横方向延長部の先端に連結されており、外チューブが前記細長いシャフトの基端部分を受け入れ、前記外チューブの先端が前記横方向延長部の基端に連結されており、前記細長いシャフトと前記外チューブとの間の相対的移動により前記横方向延長部の展開を制御する、システム。
【請求項６】
請求項１に記載のシステムにおいて、
前記先端側方開口部の基端側の前記細長いシャフトの一部には、螺旋状カットが形成されている、システム。
【請求項７】
請求項２に記載のシステムにおいて、
前記フラップは、押圧されることにより、前方に押圧されたデバイスを前記側方ポートに向かって差し向ける傾斜部を前記内腔内に形成する、システム。
【請求項８】
請求項７に記載のシステムにおいて、
前記細長いシャフトには、前記フラップを受け入れるスロットが設けられている、システム。
【請求項９】
請求項３に記載のシステムにおいて、
前記ウィングは、カットした金属チューブによって形成されている、システム。
【請求項１０】
内部に閉塞がある脈管内腔を形成する脈管壁を介して治療を行う再進入デバイスにおいて、
先端テーパ区分を持つ細長い駆動シャフトと、
前記駆動シャフトの前記先端に連結された、外面に沿ってアブレーションコーティングが設けられたアブレーションチップと、を備え、
前記先端テーパ区分は、前記再進入デバイスを前記脈管内腔内に穿通した後、反対側の脈管壁が穿通されないように前記チップを撓ませることができる、デバイス。
【請求項１１】
請求項１０に記載のデバイスにおいて、
前記コーティングは、グリットダイヤモンドコーティングである、デバイス。
【請求項１２】
請求項１０に記載のデバイスにおいて、
前記再進入デバイスは、回転駆動装置によって回転されるように形成されている、デバイス。
【請求項１３】
内部に閉塞がある脈管内腔を形成する脈管壁を介して治療を行うデバイスにおいて、
脈管壁内で展開される大きさ及び形体の先端部分を持つ細長いシャフトを含み、前記先端部分は、長さ方向及び半径方向に屈曲部を有する、デバイス。
【請求項１４】
請求項１３に記載のデバイスにおいて、
前記屈曲部の曲率半径は、脈管内腔の曲率半径よりも小さい、デバイス。
【請求項１５】
請求項１３に記載のデバイスにおいて、
前記屈曲部は、脈管内腔の曲率半径とほぼ同じ曲率半径の半径方向湾曲を含む、デバイス。
【請求項１６】
請求項１３に記載のデバイスにおいて、
前記細長いシャフトは、前記シャフトの表面に沿って配向された開放領域を形成し、
作動部材が前記シャフトに沿って延びており、前記作動部材の先端は、前記作動部材を作動することにより前記開放領域を閉鎖し、これによって屈曲部を形成するように、前記シャフトの先端に連結されている、デバイス。
【請求項１７】
請求項１３に記載のデバイスにおいて、
前記細長いシャフトは、間隔が隔てられた複数のポリマーセグメントを含み、前記セグメントの可撓性は、これらのセグメント間の前記シャフトの材料よりも高く、作動部材が前記シャフトに沿って延びており、前記作動部材の先端は、前記作動部材を作動することにより屈曲部を形成するように前記シャフトの先端に連結されている、デバイス。
【請求項１８】
請求項１７に記載のデバイスにおいて、
前記セグメントは楔形状である、デバイス。
【請求項１９】
請求項１３に記載のデバイスにおいて、
前記シャフトは、比較的直線状の第１拘束形体、及び屈曲部を持つ第２休止形体を呈する、デバイス。
【請求項２０】
請求項１９に記載のデバイスにおいて、更に、
前記シャフトが、前記シース内に少なくとも部分的に配置されたときに比較的直線状の形体をとり、前記シース内に配置されていないときに屈曲部を形成するように、前記シャフトの一部を包囲するように形成された内腔を持つシースを備えた、デバイス。
【請求項２１】
内部に閉塞がある脈管内腔を形成する脈管壁を介して治療を行うための再進入デバイスにおいて、
脈管組織を穿通するように形成された螺旋状カット区分によって形成された先端部分を持つ細長いシャフトを備え、
前記螺旋状カット区分の夫々の巻回部間の間隔は、前記再進入デバイスの先端部分の可撓性が基端部分よりも高いように、先端方向で増大し、
前記螺旋状カット区分は、前記再進入デバイスが脈管組織を穿通した後、反対側の脈管壁が穿通されないように、十分な可撓性を有する、デバイス。
【請求項２２】
請求項２１に記載のデバイスにおいて、
前記螺旋状カット区分のチップは尖っている、デバイス。
【請求項２３】
請求項２１に記載のデバイスにおいて、
前記再進入デバイスは、回転駆動装置によって回転されるように形成されている、デバイス。
【請求項２４】
請求項１に記載のシステムにおいて、
前記側方開口部は、一つ以上の前記横方向延長部の平面に対してほぼ直角に差し向けられている、システム。
【請求項２５】
請求項１に記載のシステムにおいて、
前記配向デバイスは、拡張した展開形体において、実質的に平らになっている、システム。
【請求項２６】
請求項１に記載のシステムにおいて、
前記配向デバイスは、長さ方向軸線を画定し、
前記配向エレメントの先端部は、前記長さ方向軸線を横切って横断する先端に面した開口部を含む、システム。
【請求項２７】
請求項１に記載のシステムにおいて、
一つ以上の前記横方向延長部の各々は、曲げられた曲げ部を含む、システム。
【請求項２８】
請求項１に記載のシステムにおいて、
一つ以上の前記横方向延長部の各々は、ほぼ直線の端部を含む、システム。
【請求項２９】
内部に閉塞がある脈管内腔を形成する脈管壁を介して治療を行うデバイスにおいて、
長さ方向軸線を画定するとともに先端側方開口部まで貫通した内腔を含む細長いシャフトを持つ壁内デバイスであって、一つ以上の横方向延長部と前記長さ方向軸線を横切る先端に面した開口部を含む壁内デバイスと、
脈管組織を穿通するように形成された先端チップを持ち、前記配向デバイスの前記内腔に挿入される大きさ及び形体を備えた再進入デバイスと、
を備えたデバイス。
【請求項３０】
請求項２９に記載のデバイスにおいて、
前記側方開口部は、一つ以上の前記横方向延長部の平面に対してほぼ直角に差し向けられている、デバイス。
【請求項３１】
請求項２９に記載のデバイスにおいて、
一つ以上の横方向延長部の各々が、潰れた送出形体と拡張した展開形体とを含む、デバイス。
【請求項３２】
請求項３１に記載のデバイスにおいて、
前記横方向延長部は、送出形体と展開形体の両方において、前記内腔の完全に外部に位置する、デバイス。
【請求項３３】
請求項３１に記載のデバイスにおいて、
前記壁内デバイスは、拡張した展開形体において、実質的に平らになっている、デバイス。
【請求項３４】
請求項３１に記載のデバイスにおいて、
前記横方向延長部は、ヒンジ連結された少なくとも二つのウィングを含み、
前記ウィングは、前記展開形体で、実質的に等しく両方向に延びている、デバイス。
【請求項３５】
請求項２９に記載のデバイスにおいて、
一つ以上の前記横方向延長部の各々は、曲げられた曲げ部を含む、デバイス。
【請求項３６】
請求項２９に記載のデバイスにおいて、
一つ以上の前記横方向延長部の各々は、ほぼ直線の端部を含む、デバイス。